(57)【特許請求の範囲】
【請求項１】
一対の平衡入力端子と、
一対の平衡出力端子と、
前記一対の平衡入力端子と前記一対の平衡出力端子の間を電気的に結合させる少なくとも一対の結合コイルと、
前記一対の平衡入力端子と前記一対の平衡出力端子の間に電気的に縦続接続された複数のＬＣ並列共振器と、
前記一対の平衡入力端子と前記一対の平衡出力端子の間のそれぞれを電気的に結合させている一対のポール調整用コンデンサと、
を備え、
前記複数のＬＣ並列共振器の容量部分は、二つのコンデンサが直列接続され、かつ、該二つのコンデンサの中間接続点が接地されることによって構成されており、
前記複数のＬＣ並列共振器が前記一対の結合コイルを介して相互に電気的に接続していること、
を特徴とするバランス型ＬＣフィルタ。
【請求項２】
前記平衡入力端子及び前記平衡出力端子のいずれか一方の端子対において、一方の端子が開放状態とされ、他方の端子が不平衡端子とされていることを特徴とする請求項１に記載のバランス型ＬＣフィルタ。
【請求項３】
一方の前記ＬＣ並列共振器は、一方の前記平衡入力端子と一方の前記結合コイルとの間と、他方の前記平衡入力端子と他方の前記結合コイルとの間に接続されており、
他方の前記ＬＣ並列共振器は、一方の前記平衡出力端子と一方の前記結合コイルとの間と、他方の前記平衡出力端子と他方の前記結合コイルとの間に接続されていること、
を特徴とする請求項１又は請求項２のいずれかに記載のバランス型ＬＣフィルタ。
【請求項４】
複数の絶縁体層と共振コイル用導体と結合コイル用導体とコンデンサ導体とを積み重ねて構成した積層体と、
前記積層体の表面に設けた一対の平衡入力端子及び一対の平衡出力端子と、
前記積層体内に前記結合コイル用導体にて構成された少なくとも一対の結合コイルと、
前記積層体内に前記共振コイル用導体及びコンデンサ導体にて構成された複数のＬＣ並列共振器と、
コンデンサ導体により構成された一対のポール調整用コンデンサと、
を備え、
前記複数のＬＣ並列共振器が、前記一対の平衡入力端子と前記一対の平衡出力端子の間に、前記一対の結合コイルを介して電気的に縦続接続されているとともに、前記一対の平衡入力端子と前記一対の平衡出力端子が、前記一対の結合コイルを介して電気的に結合されており、
前記複数のＬＣ並列共振器の容量部分は、二つのコンデンサが直列接続され、かつ、該二つのコンデンサの中間接続点が接地されることによって構成されており、
前記一対のポール調整用コンデンサがそれぞれ前記一対の平衡入力端子と前記一対の平衡出力端子とを電気的に接続させていること、
を特徴とするバランス型ＬＣフィルタ。
【請求項５】
前記共振コイル用導体は、前記絶縁体層の表面に設けた渦巻状のパターンで構成されていることを特徴とする請求項４に記載のバランス型ＬＣフィルタ。
【請求項６】
前記共振コイル用導体は、前記絶縁体層に設けたビアホールを積層方向に連接して構成されていることを特徴とする請求項４に記載のバランス型ＬＣフィルタ。
【請求項７】
前記結合コイルと前記ＬＣ並列共振器を構成する共振用コイルのそれぞれの両端が、前記平衡入力端子および前記平衡出力端子のいずれか一つの端子に直接に接続されるとともに、前記積層体にシールド電極を設けないことを特徴とする請求項４〜請求項６のいずれかに記載のバランス型ＬＣフィルタ。
【請求項８】
前記一対の結合コイルが同一絶縁体層の表面に線対称に配置されていることを特徴とする請求項４〜請求項７のいずれかに記載のバランス型ＬＣフィルタ。
【請求項９】
一方の前記ＬＣ並列共振器は、一方の前記平衡入力端子と一方の前記結合コイルとの間と、他方の前記平衡入力端子と他方の前記結合コイルとの間に接続されており、
他方の前記ＬＣ並列共振器は、一方の前記平衡出力端子と一方の前記結合コイルとの間と、他方の前記平衡出力端子と他方の前記結合コイルとの間に接続されていること、
を特徴とする請求項４〜請求項８のいずれかに記載のバランス型ＬＣフィルタ。
【発明の詳細な説明】
【０００１】
【発明の属する技術分野】
本発明はバランス型ＬＣフィルタに関し、特に、携帯電話や自動車電話等の無線通信機器などに使用されるバランス型ＬＣフィルタに関する。
【０００２】
【従来の技術】
一般に、携帯電話や自動車電話などの無線通信機器にあっては、送信系の回路のミキサ段と変調段との間に、フィルタ機能とインピーダンス変換機能を有する入出力バランス（平衡）型フィルタと呼ばれる差動型フィルタが使用されている。
【０００３】
従来より、この種のバランス型フィルタとしては、特開平１１−３１７６０３号公報に記載されたものが知られている。このバランス型フィルタは、一対の平衡入力端子と一対の平衡出力端子との間に、第１のフィルタ回路部と第２のフィルタ回路部がグランドで相互に電気的に接続された状態で設けられている。そして、第１及び第２のフィルタ回路部は、それぞれ二つのストリップライン型共振器を縦続接続して構成されている。より具体的には、絶縁体層を積み重ねて構成した積層体の内部に、同一絶縁体層上に設けた二つのストリップライン型共振器を２組備え、それぞれ第１及び第２のフィルタ回路部とする。第１及び第２のフィルタ回路部は、積層体の異なる層に鏡面対称に積層されている。また、ストリップライン型共振器は、結合コンデンサを介して平衡入力端子や平衡出力端子に電気的に接続されている。そして、シールド電極を利用して、入力側共振器のストリップラインと出力側共振器のストリップラインを電磁結合させている。
【０００４】
【発明が解決しようとする課題】
ところで、従来のバランス型フィルタは、共振器が結合コンデンサを介して平衡入力端子や平衡出力端子に電気的に接続されている。従って、共振器のストリップラインが入出力端子と直接に接続されたものではないため、ストリップラインからの輻射やシールド電極の積層ずれなどによる電気特性の変化が大きいという問題があった。さらに、シールド電極に発生する渦電流損により共振器のＱが低下し、小型化にも不利であった。また、ストリップライン型共振器で設計しているため、入出力インピーダンスや減衰極を設計変更しようとすると、ストリップラインのライン幅やストリップラインとシールド電極との間隔などを大幅に変える必要があり、設計変更に柔軟に対応することができなかった。
【０００５】
そこで、本発明の目的は、小型で良好な電気特性が得られ、かつ、入出力インピーダンスや減衰極の設計変更が容易なバランス型ＬＣフィルタを提供することにある。
【０００６】
【課題を解決するための手段及び作用】
前記目的を達成するため、本発明に係るバランス型ＬＣフィルタは、
（ａ）一対の平衡入力端子と、
（ｂ）一対の平衡出力端子と、
（ｃ）前記一対の平衡入力端子と前記一対の平衡出力端子の間を電気的に結合させる少なくとも一対の結合コイルと、
（ｄ）前記一対の平衡入力端子と前記一対の平衡出力端子の間に電気的に縦続接続された複数のＬＣ並列共振器と、
（ｅ）前記一対の平衡入力端子と前記一対の平衡出力端子の間のそれぞれを電気的に結合させている一対のポール調整用コンデンサと、
を備え、
（ｆ）前記複数のＬＣ並列共振器の容量部分は、二つのコンデンサが直列接続され、かつ、該二つのコンデンサの中間接続点が接地されることによって構成されており、
（ｇ）前記複数のＬＣ並列共振器が前記一対の結合コイルを介して相互に電気的に接続していること、を特徴とする。
【０００７】
より具体的には、
（ｈ）複数の絶縁体層と共振コイル用導体と結合コイル用導体とコンデンサ導体とを積み重ねて構成した積層体と、
（ｉ）前記積層体の表面に設けた一対の平衡入力端子及び一対の平衡出力端子と、
（ｊ）前記積層体内に前記結合コイル用導体にて構成された少なくとも一対の結合コイルと、
（ｋ）前記積層体内に前記共振コイル用導体及びコンデンサ導体にて構成された複数のＬＣ並列共振器と、
（ｌ）コンデンサ導体により構成された一対のポール調整用コンデンサと、
を備え、
（ｍ）前記複数のＬＣ並列共振器が、前記一対の平衡入力端子と前記一対の平衡出力端子の間に、前記一対の結合コイルを介して電気的に縦続接続されているとともに、前記一対の平衡入力端子と前記一対の平衡出力端子が、前記一対の結合コイルを介して電気的に結合されており、
（ｎ）前記複数のＬＣ並列共振器の容量部分は、二つのコンデンサが直列接続され、かつ、該二つのコンデンサの中間接続点が接地されることによって構成されており、
（ｏ）前記一対のポール調整用コンデンサがそれぞれ前記一対の平衡入力端子と前記一対の平衡出力端子とを電気的に接続させていること、を特徴とする。
【０００８】
ここに、共振コイル用導体は、絶縁体層の表面に設けた渦巻状のパターンで構成したり、絶縁体層に設けたビアホールを積層方向に連接して構成したりしている。さらに、一対の結合コイルは同一絶縁体層の表面に線対称に配置されている。
【０００９】
以上の構成により、共振器は集中定数型となり、小型の平衡−平衡型のバランス型ＬＣフィルタが得られる。
【００１０】
さらに、結合コイルとＬＣ共振器を構成する共振用コイルのそれぞれの両端が、平衡入力端子および平衡出力端子のいずれか一つの端子に直接に接続されているため、コイルが入出力端子に電気的に直接に接続され、コイルからの輻射が抑えられる。さらに、積層体にシールド電極を設けないようにすることにより、シールド電極に発生する渦電流損がなくなり、コイルのＱが向上する。
【００１１】
また、平衡入力端子及び平衡出力端子のいずれか一方の端子対において、一方の端子を開放状態とすることにより、他方の端子が不平衡端子となり、不平衡−平衡型のバランス型ＬＣフィルタとしても使用することができる。
【００１２】
【発明の実施の形態】
以下、本発明に係るバランス型ＬＣフィルタの実施の形態について添付の図面を参照して説明する。本実施形態は、２段のバランス型ＬＣフィルタについて説明する。
【００１３】
図１に示すように、バランス型ＬＣフィルタ１は、共振コイル用導体３ａ，３ｂ，４ａ，４ｂをそれぞれ表面に設けた絶縁体シート２ｂ，２ｃと、結合コイル用導体５，６を表面に設けた絶縁体シート２ｅと、コンデンサ導体７〜２８をそれぞれ表面に設けた絶縁体シート２ｇ〜２ｍ等で構成されている。絶縁体シート２ａ〜２ｎは誘電体粉末や磁性体粉末を結合剤等と一緒に混練したものをシート状にしたものである。
【００１４】
共振コイル用導体３ａ，３ｂ、４ａ，４ｂはそれぞれ渦巻状のパターンであり、絶縁体シート２ｂに設けたビアホール２９を介して電気的に直列に接続され、共振用コイルＬ１，Ｌ２を構成している。共振用コイルＬ１，Ｌ２は同一層上に並置されており、その電気路長はλ／２（λ：中心周波数の波長）に設定されている。なお、共振コイル用導体３ａ〜４ｂは必ずしも渦巻状のパターンである必要はなく、直線状や蛇行状などの任意のパターンであってもよいことは言うまでもない。
【００１５】
結合コイル用導体５，６は略コの字状のパターンであり、直線部分が対向している結合コイルＬ３，Ｌ４を構成している。結合コイルＬ３，Ｌ４は同一の絶縁体シート２ｅ上に並置されており、線対称に配置されている。バランスを保つためには、線対称形が好ましいからである。そして、結合コイルＬ３，Ｌ４のそれぞれの電気路長はλ／４に設定されている。なお、結合コイル用導体５，６は必ずしもコの字状のパターンである必要はなく、線対称であれば、特に形状は限定されない。例えば、半円状、Ｕ字状、Ｖ字状などのパターンであってもよい。
【００１６】
コンデンサ導体７，１３，１９およびコンデンサ導体９，１５，２１は、絶縁体シート２ｇ，２ｈ，２ｉ，２ｊを挟んでコンデンサ導体１１，１７に対向し、それぞれポール調整用コンデンサＣ１ａ，Ｃ１ｂを構成している。コンデンサ導体８，１４，２０およびコンデンサ導体１０，１６，２２は、絶縁体シート２ｇ，２ｈ，２ｉ，２ｊを挟んでコンデンサ導体１２，１８に対向し、それぞれポール調整用コンデンサＣ１ｃ，Ｃ１ｄを構成している。コンデンサ導体２３は、絶縁体シート２ｋ，２ｌを挟んでコンデンサ導体１９，２５およびコンデンサ導体２０，２６に対向し、それぞれ共振用コンデンサＣ２ａ，Ｃ２ｂを構成している。コンデンサ導体２４は、絶縁体シート２ｋ，２ｌを挟んでコンデンサ導体２１，２７およびコンデンサ導体２２，２８に対向し、それぞれ共振用コンデンサＣ３ａ，Ｃ３ｂを構成している。
【００１７】
導体３ａ，３ｂ，４ａ，４ｂ，５〜２８はそれぞれ、スパッタリング法、蒸着法、印刷法、フォトリソグラフィ法などの方法により形成され、Ａｇ−Ｐｄ，Ａｇ，Ｐｄ，Ｃｕなどの材料からなる。
【００１８】
各シート２ａ〜２ｎは積み重ねられ、一体的に焼成されることにより、図２に示すように矩形体状の積層体３０とされる。積層体３０の外形寸法は、例えば長さが３．２ｍｍ、幅が１．６ｍｍ、高さが１．３ｍｍである。積層体３０には６個の外部電極３１〜３４，Ｇ１，Ｇ２が形成されている。これらの外部電極３１〜３４，Ｇ１，Ｇ２はスパッタリング法、蒸着法、塗布法、印刷法などの方法によって形成され、Ａｇ−Ｐｄ，Ａｇ，Ｐｄ，Ｃｕ，Ｃｕ合金などの材料からなる。
【００１９】
外部電極３１は、共振コイル用導体３ｂおよび結合コイル用導体５の一端５ａ、並びに、コンデンサ導体７，１３，１９，２５に電気的に接続されている。外部電極３２は、共振コイル用導体３ａおよび結合コイル用導体６の一端６ａ、並びに、コンデンサ導体８，１４，２０，２６に電気的に接続されている。外部電極３１，３２は入力端子とされる。
【００２０】
外部電極３３は、共振コイル用導体４ｂおよび結合コイル用導体５の他端５ｂ、並びに、コンデンサ導体９，１５，２１，２７に電気的に接続されている。外部電極３４は、共振コイル用導体４ａおよび結合コイル用導体６の他端６ｂ、並びに、コンデンサ導体１０，１６，２２，２８に電気的に接続されている。外部電極３３，３４は出力端子とされる。
【００２１】
外部電極Ｇ１は、コンデンサ導体２３に電気的に接続され、グランド端子として機能する。外部電極Ｇ２は、コンデンサ導体２４に電気的に接続され、グランド端子として機能する。
【００２２】
図３の（Ａ）に積層構造を有するバランス型ＬＣフィルタ１の電気等価回路図を示す。バランス型ＬＣフィルタ１は、共振用コイルＬ１及び共振用コンデンサＣ２ａ，Ｃ２ｂからなるＬＣ並列共振器Ｑ１と、共振用コイルＬ２及び共振用コンデンサＣ３ａ，Ｃ３ｂからなるＬＣ並列共振器Ｑ２とを、共振器間結合コイルＬ３，Ｌ４を介して縦続接続したバンドパスフィルタ回路を有している。つまり、ＬＣ並列共振器Ｑ１とＱ２は、結合コンデンサを介して接続されていない。直列接続されたコンデンサＣ２ａ，Ｃ２ｂの中間接続点にはグランド端子Ｇ１が接続され、直列接続されたコンデンサＣ３ａ，Ｃ３ｂの中間接続点にはグランド端子Ｇ２が接続されている。こうして、いわゆるブランチライン型の集中定数回路が得られる。
【００２３】
ＬＣ並列共振器Ｑ１，Ｑ２のそれぞれの共振用コイルＬ１，Ｌ２のインダクタンス値と共振用コンデンサＣ２ａ，Ｃ２ｂ，Ｃ３ａ，Ｃ３ｂのキャパシタンス値を調整することにより、バランス型ＬＣフィルタ１の中心周波数とインピーダンス調整を行うことができる。また、共振用コイルＬ１，Ｌ２の電気路長はλ／２に設定しているので、出力端子３３，３４間に位相差１８０度の平衡信号を安定して出力することができる。
【００２４】
以上の構成からなるバランス型ＬＣフィルタ１は、二つの集中定数型のＬＣ並列共振器Ｑ１，Ｑ２で構成されており、四つの共振器が必要であった従来のフィルタと比較して小型化が可能である。また、全てのコイルＬ１〜Ｌ４の両端部が、入出力端子３１〜３４のいずれか一つに電気的に直接に接続されているため、コイルＬ１〜Ｌ４からの輻射が抑えられる。さらに、積層体３０内にシールド電極を設けていないので、シールド電極に発生する渦電流損がなくなり、コイルＬ１〜Ｌ４のＱを向上させることができる。
【００２５】
そして、このバランス型ＬＣフィルタ１は、外部電極３１，３２を一対の平衡入力端子として機能させ、外部電極３３，３４を一対の平衡出力端子として機能させることにより、平衡−平衡型のＬＣフィルタとなる。一方、入力側外部電極３１，３２や出力側外部電極３３，３４を不平衡端子として利用することもできる。つまり、外部電極３１，３２（外部電極３３，３４）の一方の外部電極を外部不平衡回路に接続し、他方の外部電極を開放状態にする。これにより、バランス型ＬＣフィルタ１は不平衡−平衡型や不平衡−不平衡型のＬＣフィルタとなる。
【００２６】
例えば、図３の（Ｂ）に示すように、外部電極３１を不平衡入力端子とし、外部電極３２を開放状態とし、外部電極３３，３４を一対の平衡出力端子とすることにより、バランス型ＬＣフィルタ１は、不平衡−平衡型のＬＣフィルタとなる。図４は、このときのフィルタ１の逆方向通過特性Ｓ１２、入力反射特性Ｓ１１および出力反射特性Ｓ２２を示すグラフである。図５は、外部電極３３での通過特性Ｓ２１および外部電極３４での通過特性Ｓ３１を示すグラフである。Ｓ２１とＳ３１が重なっている周波数領域（１．７ＧＨｚ付近と２．２〜２．７ＧＨｚ付近）で、外部電極３３と３４にそれぞれ出力される信号の振幅差が０になっている。図６は、外部電極３３と３４にそれぞれ出力される信号の位相特性Ｓ２１，Ｓ３１を示すグラフである。Ｓ２１とＳ３１の位相差は１８０度であることがわかる。
【００２７】
また、外部電極３１，３２を一対の平衡入力端子とし、外部電極３３，３４を一対の平衡出力端子とすることにより、バランス型ＬＣフィルタ１は平衡−平衡型ＬＣフィルタとなる。図７は、このときのフィルタ１の逆方向通過特性Ｓ１２、入力反射特性Ｓ１１および出力反射特性Ｓ２２を示すグラフである。図８は、外部電極３３での通過特性Ｓ２１および外部電極３４での通過特性Ｓ３１を示すグラフである。Ｓ２１とＳ３１は殆ど完全に重なっており、全周波数領域にわたって振幅差が０となっている。図９は、外部電極３３と３４にそれぞれ出力される信号の位相特性Ｓ２１，Ｓ３１を示すグラフである。Ｓ２１とＳ３１の位相差は１８０度であることがわかる。
【００２８】
さらに、本実施形態のバランス型ＬＣフィルタ１は、ポール調整用コンデンサＣ１ａ〜Ｃ１ｄを有しているので、任意の周波数に減衰極を設けることができ、入出力インピーダンスの調整が容易である。例えば、図４〜図６に示すように、ＬＣフィルタ１は中心周波数より低周波側に減衰極Ａを有しているが、ポール調整用コンデンサＣ１ａ〜Ｃ１ｄの静電容量を約１／２に変えることにより、図１０〜図１２に示すように、減衰極Ａを中心周波数より高周波側に移動させることができる。
【００２９】
なお、本発明に係るバランス型ＬＣフィルタは前記実施形態に限定するものではなく、その要旨の範囲内で種々に変更することができる。例えば、共振コイル用導体は、図１３に示すように、絶縁体シート４２ａ，４２ｂにそれぞれ設けたインダクタ用ビアホール４５ａ，４５ｂ、４６ａ，４６ｂを、絶縁体シート４２ａ〜４２ｃの積み重ね方向に連接して構成したものであってもよい。
【００３０】
インダクタ用ビアホール４５ａ，４５ｂ、４６ａ，４６ｂは、それぞれ絶縁体シート４２ａ〜４２ｃの積み重ね方向に連接して実質的にλ／２（λ：中心周波数の波長）の長さの柱状インダクタＬ１，Ｌ２を構成する。ここで言うインダクタＬ１，Ｌ２は、主として連接されたビアホール４５ａ，４５ｂ、４６ａ，４６ｂにより構成されるものであるという意味である。例えば、引出し用導体４３ａ〜４４ｂもインダクタンス成分をもっており、インダクタＬ１，Ｌ２は主としてビアホール４５ａ〜４６ｂにて構成されたものであり、等価回路的にビアホール４５ａ〜４６ｂをインダクタとして設計したものである。シート４２ｂは、他のシートより厚く設定されている。このとき、シート４２ｂの厚さは、他のシート２ａや４２ａ等と同じシート厚のものを複数枚積み重ねて確保してもよいし、１枚の厚いシートを用いて確保してもよい。
【００３１】
インダクタＬ１，Ｌ２の軸方向はシート４２ａ〜４２ｃの表面に対して垂直である。インダクタＬ１，Ｌ２に電流が流れると、インダクタＬ１，Ｌ２のそれぞれの周囲にインダクタＬ１，Ｌ２の軸方向に対して垂直な面を周回する磁界が発生する。インダクタＬ１，Ｌ２のそれぞれの一端（ビアホール４５ａ，４６ａ）は、引出し用導体４３ａ，４４ａに接続されている。インダクタＬ１，Ｌ２のそれぞれの他端（ビアホール４５ｂ，４６ｂ）は、引出し用導体４３ｂ，４４ｂに接続されている。
【００３２】
以上の構成からなるバランス型ＬＣフィルタ４１は、前記第１実施形態のフィルタ１と同様の作用効果を奏することができる。
【００３３】
さらに、前記実施形態は、導体が形成された絶縁体シートを積み重ねた後、一体的に焼成するものであるが、必ずしもこれに限定されない。シートは予め焼成されたものを用いてもよい。また、以下に説明する製法によってＬＣフィルタを製作してもよい。印刷等の手段によりペースト状の絶縁体材料を塗布して絶縁体層を形成した後、その絶縁体層の表面にペースト状の導電体材料を塗布して任意の導体を形成する。次に、ペースト状の絶縁体材料を前記導体の上から塗布する。こうして順に重ね塗りすることによって積層構造を有するＬＣフィルタが得られる。
【００３４】
【発明の効果】
以上の説明で明らかなように、本発明によれば、共振器の数を抑えることができ、バランス型ＬＣフィルタの小型化が可能である。また、コイルが入出力端子に電気的に直接に接続されているので、コイルからの輻射を抑えることができる。さらに、積層体にシールド電極を設けないので、シールド電極に発生する渦電流損がなくなり、コイルのＱを高くすることができ、高性能かつ小型のバランス型ＬＣフィルタを得ることができる。
【図面の簡単な説明】
【図１】本発明に係るバランス型ＬＣフィルタの一実施形態を示す分解斜視図。
【図２】図１に示されているバランス型ＬＣフィルタの外観を示す斜視図。
【図３】図２に示されているバランス型ＬＣフィルタの電気等価回路図。
【図４】図２に示されているバランス型ＬＣフィルタを不平衡−平衡型にしたときの、逆方向通過特性および入出力反射特性を示すグラフ。
【図５】図２に示されているバランス型ＬＣフィルタを不平衡−平衡型にしたときの、通過特性を示すグラフ。
【図６】図２に示されているバランス型ＬＣフィルタを不平衡−平衡型にしたときの、位相特性を示すグラフ。
【図７】図２に示されているバランス型ＬＣフィルタを平衡−平衡型にしたときの、逆方向通過特性および入出力反射特性を示すグラフ。
【図８】図２に示されているバランス型ＬＣフィルタを平衡−平衡型にしたときの、通過特性を示すグラフ。
【図９】図２に示されているバランス型ＬＣフィルタを平衡−平衡型にしたときの、位相特性を示すグラフ。
【図１０】図２に示されているバランス型ＬＣフィルタのポール調整用コンデンサの静電容量を変えたときの、逆方向通過特性および入出力反射特性を示すグラフ。
【図１１】図２に示されているバランス型ＬＣフィルタのポール調整用コンデンサの静電容量を変えたときの、通過特性を示すグラフ。
【図１２】図２に示されているバランス型ＬＣフィルタのポール調整用コンデンサの静電容量を変えたときの、位相特性を示すグラフ。
【図１３】本発明に係るバランス型ＬＣフィルタの他の実施形態を示す分解斜視図。
【符号の説明】
１，４１…バランス型ＬＣフィルタ
２ａ〜２ｎ，４２ａ〜４２ｃ…絶縁体シート
３ａ，３ｂ，４ａ，４ｂ…共振コイル用導体
５，６…結合コイル用導体
７〜２８…コンデンサ導体
３０…積層体
３１，３２…平衡入力端子
３３，３４…平衡出力端子
４５ａ，４５ｂ，４６ａ，４６ｂ…ビアホール
Ｌ１，Ｌ２…共振用コイル
Ｌ３，Ｌ４…結合コイル
Ｃ２ａ，Ｃ２ｂ，Ｃ３ａ，Ｃ３ｂ…共振用コンデンサ
Ｑ１，Ｑ２…ＬＣ並列共振器
【図１】
0004710174.tif 000002
【図２】
0004710174.tif 000003
【図３】
0004710174.tif 000004
【図４】
0004710174.tif 000005
【図５】
0004710174.tif 000006
【図６】
0004710174.tif 000007
【図７】
0004710174.tif 000008
【図８】
0004710174.tif 000009
【図９】
0004710174.tif 000010
【図１０】
0004710174.tif 000011
【図１１】
0004710174.tif 000012
【図１２】
0004710174.tif 000013
【図１３】
0004710174.tif 000014